(57)【要約】【課題】クロージャ内で全ての抗張力体を均一に把持固定することができる光ファイバケーブルを提供する。【解決手段】光ファイバ２をスロット溝３に収納して保持するスロットコア４と、該スロット溝３の開口部５を含めてスロットコア全体を被覆する偏肉シース構造のシース６とを備えた光ファイバケーブル。この光ファイバケーブル１では、同一寸法且つ同一断面形状の２本以上の抗張力体７Ａ、７Ｂをスロットコア４に設けた。【選択図】図２
2011118213.tif 000002
【特許請求の範囲】
【請求項１】
光ファイバをスロット溝に収納して保持するスロットコアと、該スロット溝の開口部を含めてスロットコア全体を被覆するシースとを備えた光ファイバケーブルにおいて、
前記シースは、前記スロット溝の開口部側と対向するシース厚を、該開口部側と反対側のシース厚よりも厚くした偏肉シース構造とし、
前記スロットコアには、同一寸法且つ同一断面形状の少なくとも２本以上の抗張力体を設けた
ことを特徴とする光ファイバケーブル。
【請求項２】
請求項１に記載の光ファイバケーブルであって、
前記抗張力体は、互いに近接して設けられている
ことを特徴とする光ファイバケーブル。
【請求項３】
請求項２に記載の光ファイバケーブルであって、
前記スロットコアの前記抗張力体が設けられる部位の肉厚を、他の部位の肉厚よりも薄くした
ことを特徴とする光ファイバケーブル。
【発明の詳細な説明】
【技術分野】
【０００１】
本発明は、２本以上の抗張力体を設けたスロットコアに光ファイバを収納してシースで被覆した光ファイバケーブルに関し、特に、クロージャーでの安定した抗張力体の把持状態を得ることのできる光ファイバケーブルの構造に関する。
【背景技術】
【０００２】
光ファイバケーブルは、一般的に、光ファイバを内部に収納するスロット溝を有したスロットコアと、このスロットコアの周囲を被覆する偏肉構造とされたシースとから構成されている。この光ファイバケーブルでは、スロットコアに形成されたスロット溝とシースの偏肉構造により、ケーブルに曲げを加えると、ケーブル断面の中心軸よりも曲げられた内側を中心として倒れ込むようにケーブルが変形する。この変形を防ぐために、スロットコアにテンションメンバーである抗張力体を２本埋め込んでいる（例えば、特許文献１に記載）。
【０００３】
この種の光ファイバケーブルは、光ファイバケーブル同士を接続する接続部や余長部を水や外力から保護するための箱であるクロージャ内で、スロットコアから外方へ取り出された２本の抗張力体を安定させて固定する必要がある。クロージャ内には、例えば図５に示すように、２本の抗張力体１０１、１０２を挿入孔１０３に挿入させて固定ネジ１０４で締め付けることにより、これら抗張力体１０１、１０２を把持固定する把持金具１０５が設けられている。
【先行技術文献】
【特許文献】
【０００４】
【特許文献１】特開２００８−０７６８９７号公報
【発明の概要】
【発明が解決しようとする課題】
【０００５】
前記２本の抗張力体１０１、１０２としてその線径が異なる（大径と小径の）ものを使用した場合には、直径の大きな抗張力体１０１は固定ネジ１０４で固定することができるものの、直径の小さな抗張力体１０２は固定ネジ１０４との間に隙間が生じて固定することができないか或いは固定力が弱まる。そのため、直径の異なる抗張力体１０１、１０２を使用した場合は、固定ネジ１０４で両者を均等に把持することができず、その把持力にばらつきが生じて一方の抗張力体１０２の導通が取れずアースできない場合が生じる。
【０００６】
また、２本の抗張力体１０１、１０２の直径が異なると、固定ネジ１０４で固定する際にケーブルの向きを気にして作業をする必要が生じると共に、抗張力体１０１、１０２をスロットコアから取り出す際に、一方の抗張力体は取り出し易いが、他方の抗張力体は取り出し難くなる。
【０００７】
そこで、本発明は、全ての抗張力体を均一に把持固定することができる光ファイバケーブルを提供することを目的とする。
【課題を解決するための手段】
【０００８】
請求項１に記載の発明は、光ファイバをスロット溝に収納して保持するスロットコアと、該スロット溝の開口部を含めてスロットコア全体を被覆するシースとを備えた光ファイバケーブルにおいて、前記シースは、前記スロット溝の開口部側と対向するシース厚を、該開口部側と反対側のシース厚よりも厚くした偏肉シース構造とし、前記スロットコアには、同一寸法且つ同一断面形状の少なくとも２本以上の抗張力体を設けたことを特徴としている。
【０００９】
請求項２に記載の発明は、請求項１に記載の光ファイバケーブルであって、前記抗張力体は、互いに近接して設けられていることを特徴としている。
【００１０】
請求項３に記載の発明は、請求項２に記載の光ファイバケーブルであって、前記スロットコアの前記抗張力体が設けられる部位の肉厚を、他の部位の肉厚よりも薄くしたことを特徴としている。
【発明の効果】
【００１１】
本発明の光ファイバケーブルによれば、シース厚が部位により異なった偏肉シース構造のシースで被覆されたスロットコアに、同一寸法且つ同一断面形状とした２本以上の抗張力体を設けたので、これら抗張力体をクロージャ内に設けた把持金具で把持すると、全ての抗張力体が同一寸法でしかも同一断面形状であることから、把持金具にて全抗張力体を均一に把持固定することができる。その結果、把持金具へのケーブルの取り付け作業時にケーブルの向きを考えて作業するといった面倒な作業が不要となると共に、全ての抗張力体のアースを確実に取ることができると共に、スロットコアからの抗張力体の取り出し作業も容易に行うことができる。
【図面の簡単な説明】
【００１２】
【図１】図１は本実施形態の光ファイバケーブルを示し、一部のシースを取り除いた状態の斜視図である。
【図２】図２は本実施形態の光ファイバケーブルの断面図である。
【図３】図３は本実施形態の光ファイバケーブルをクロージャ内で直線接続したときの様子を示す概略図である。
【図４】図４はクロージャ内に設けた把持金具で光ファイバケーブルから取り出した抗張力体及び光ファイバケーブルを把持固定した状態を示し、（Ａ）はその側面図、（Ｂ）はその正面図である。
【図５】図５は直径の異なる２本の抗張力体を把持金具で固定した状態を示す従来構造の図である。
【発明を実施するための形態】
【００１３】
以下、本発明を適用した具体的な実施形態について図面を参照しながら詳細に説明する。
【００１４】
図１は本実施形態の光ファイバケーブルを示し、一部のシースを取り除いた状態の斜視図、図２は本実施形態の光ファイバケーブルの断面図である。
【００１５】
本実施形態の光ファイバケーブル１は、図１及び図２に示すように、光ファイバ２をスロット溝３内に収納して保持するスロットコア４と、該スロット溝３の開口部５を含めてスロットコア４全体を被覆するシース６とからなる。
【００１６】
光ファイバ２には、光ファイバ素線、光ファイバ心線、光ファイバテープ心線などが用いられる。光ファイバ素線は、光ファイバの上に紫外線硬化樹脂を被覆したものである。光ファイバ心線は、光ファイバの上にプラスチック樹脂を被覆してその直径を光ファイバ素線よりも大としたものである。光ファイバテープ心線は、光ファイバ素線を平行に数個並べて紫外線硬化樹脂で被覆したものである。図１及び図２では、光ファイバテープ心線を用い、その光ファイバテープ心線の複数枚（６枚）をスロット溝３内に収納させている。光ファイバ２とスロット溝３との間は、干渉材が介在されていてもよいし、空隙であってもよい。
【００１７】
スロットコア４は、光ファイバ２を内部に収納して保持する保持部材であり、光ファイバケーブル１の中心点Ｃからずれた位置に中心点を持つ円弧とされたスロット溝３を有している。このスロットコア４は、押出成形にて形成され、その長手方向に垂直な断面をＣ形断面形状としている。このスロットコア４は、肉厚が均一ではなく、開口部５が形成される部位から該開口部５とは反対側の部位へ行くに従って徐々にその肉厚を厚くしている。逆の見方をすれば、スロットコア４は、スロット溝３の底と対応する部位から開口部５が形成される部位に行くに従って徐々にその肉厚を薄くしている。
【００１８】
また、スロットコア４には、光ファイバケーブル１を布設した場所で受ける熱等の影響でシース６が熱収縮して該光ファイバケーブル自体が変形するのを抑制するために、テンションメンバーである２本の抗張力体７（７Ａ、７Ｂ）が埋め込まれている。抗張力体７は、例えば鋼線やＦＲＰ等の線材からなる。本実施形態では、この２本の抗張力体７Ａ、７Ｂは、同一寸法且つ同一断面形状のものを使用している。ここで定義する同一寸法とは、誤差の全くない完全なる同一の他に、多少の誤差（±０．０３ｍｍ程度の誤差）を含むとする。同じく同一断面形状とは、完全なる同一の他に、多少の誤差を含むものとする。図１及び図２では、円形断面形状とした同一直径の鋼線を抗張力体７とした。なお、本実施形態では、抗張力体７を２本としているが、必要に応じて３本以上でも構わない。
【００１９】
前記２本の抗張力体７Ａ、７Ｂは、前記光ファイバケーブル１の中心点Ｃを通り、スロット溝３の底部である部位に対応する位置に同一線上に近接して設けられている。このため、スロットコア４の抗張力体７Ａ、７Ｂが設けられる部位の肉厚は、それ以外の部位の肉厚よりも薄くなっている。例えば、スロットコア４の部位のうち、２つの抗張力体７Ａ、７Ｂ間のスロットコア肉厚Ｔ１と、一方の抗張力体７Ａとスロット溝３間のスロットコア肉厚Ｔ２と、他方の抗張力体７Ｂとシース６間のスロットコア肉厚Ｔ３は、何れもその他の部位の肉厚よりもかなり薄くされている。
【００２０】
シース６は、スロット溝３の開口部５側と対向するシース厚Ｔ４を、該開口部５側と反対側のシース厚Ｔ５よりも厚くした偏肉シース構造とされている。この実施形態では、２本の抗張力体７Ａ、７Ｂが設けられる部位のシース厚Ｔ５が最も薄く、前記スロット溝３の開口部５と対向する部位に向かって徐々にそのシース厚が厚くされ、該開口部５と対向する部位のシース厚Ｔ４が最も厚くされている。
【００２１】
かかるシース６は、光ファイバ２を収納したスロットコア４の周囲全体をポリエチレン樹脂で被覆するようにして形成する押出成形により形成される。成形時には、スロット溝３内にポリエチレン樹脂が入り込まないようにするための押さえテープ８が、前記開口部５を塞ぐように添えられる。
【００２２】
このように構成された光ファイバケーブル１は、スロットコア４に形成されたスロット溝３とシース６の偏肉シース構造により、ケーブルに曲げを加えるとケーブル断面の中心点Ｃから更に内側を中心に曲がってしまう。この変形を防止するために、２本の抗張力体７Ａ、７Ｂの長さに差（線長差）を設けてスロットコア４に埋設している。一方の抗張力体の長さを、他方の抗張力体の長さよりも長く或いは短くしてテンションを加えながらスロットコアの押出し成形時に、これら２本の抗張力体７Ａ、７Ｂを埋設している。
【００２３】
以上のように構成された光ファイバケーブル１は、例えば図３に示すクロージャ９内において、お互いの光ファイバ２、２同士を接続する際に、光ファイバケーブル１自体及びスロット溝３から引き出した抗張力体７を把持金具１０にて把持固定される。把持金具１０は、図４に示すように、ケーブル自体を把持固定するケーブル保持部１１と、抗張力体７を把持固定する抗張力体把持部１２とを有している。
【００２４】
ケーブル保持部１１は、ベース部１３から垂直に起立する垂直部１４と、この垂直部１４の先端から直角に折り曲げられてベース部１３と平行とされる水平部１５と、水平部１５に螺合したネジ１６の先端に取り付けられた上シース把持部１７Ａと、ベース部１３に螺合したネジ１８の先端に取り付けられた下シース把持部１７Ｂとからなる。
【００２５】
上シース把持部１７Ａと下シース把持部１７Ｂは、上下の相対向する位置に設けられ、前記光ファイバケーブル１のシース６部位を挟み込んで把持固定する。上シース把持部１７Ａは、前記水平部１５に螺合したネジ１６を回すことで他方の下シース把持部１７Ｂに対して接近離反する方向に上下動する。下シース把持部１７Ｂは、前記ベース部１３に螺合したネジ１８を回すことで上シース把持部１７Ａに対して接近離反する方向に上下動する。
【００２６】
抗張力体把持部１２は、光ファイバケーブル１の軸線上に延びるベース部１３の先端から垂直に起立する起立部１９と、この起立部１９に開設された抗張力体挿入孔２０と、抗張力体挿入孔２０に挿入された抗張力体７（７Ａ、７Ｂ）を把持固定する締付けネジ２１とからなる。
【００２７】
抗張力体挿入孔２０は、少なくとも２本の抗張力体７（７Ａ、７Ｂ）を並べて挿入し得る大きさの開口として前記起立部１９を貫通して形成されている。この抗張力体挿入孔２０には、起立部１９の先端に螺合された締付けネジ２１の先端部２１Ａが露出するようになっている。締付けネジ２１を回すと、抗張力体挿入孔２０に突出する先端部２１Ａの突出量が増減する。なお、接続金具１０は、図示しない部位にアース接続されており、前記抗張力体挿入孔２０に挿入した抗張力体７と導通されている。これにより、抗張力体７は、接続金具１０で把持固定されるこでアースされる。
【００２８】
このように構成された把持金具１０で光ファイバケーブル１の端末部を把持固定するには、先ず、スロットコア４から取り出した２本の抗張力体７Ａ、７Ｂを、前記抗張力体挿入孔２０に挿入する。また、上下のネジ１６、１８を回して上シース把持部１７Ａと下シース把持部１７Ｂを互いに接近させるように動かして、これら上シース把持部１７Ａと下シース把持部１７Ｂでシース６を挟み込む。
【００２９】
前記上下のネジ１６、１８をきつく閉めることで、上シース把持部材１７Ａと下シース把持部材１７Ｂで前記シース６ががたつかないように把持固定する。次に、締付けネジ２１を締め付けて、その先端部２１Ａで２本の抗張力体７Ａ、７Ｂを抗張力体挿入孔２０の底面２０ａに押し付ける。
【００３０】
本実施形態では、２本の抗張力体７Ａ、７Ｂを同一寸法且つ同一断面形状としているので、前記締付けネジ２１の先端部２１Ａが均一にこれら抗張力体７Ａ、７Ｂに接触する。つまり、締付けネジ２１の先端部２１Ａは、どちらか一方の抗張力体には接触するが他方の抗張力体には接触しないという状態にはならない。また、これら両抗張力体７Ａ、７Ｂには、前記締付けネジ２１からの押し付け力が均等に掛かる。
【００３１】
本実施形態の光ファイバケーブルによれば、シース厚が部位により異なった偏肉シース構造のシース６で被覆されたスロットコア４に、同一寸法且つ同一断面形状とした２本以上の抗張力体７（７Ａ、７Ｂ）を設けたので、これら抗張力体７をクロージャ９内に設けた把持金具１０で把持すると、全ての抗張力体７（７Ａ、７Ｂ）が同一寸法でしかも同一断面形状であることから、把持金具１０にて全抗張力体７（７Ａ、７Ｂ）を均一に把持固定することができる。その結果、把持金具１０へのケーブルの取り付け作業時にケーブルの向きを考えて作業するといった面倒な作業が不要となると共に、全ての抗張力体（７Ａ、７Ｂ）のアースを確実に取ることができる。
【００３２】
また、本実施形態の光ファイバケーブルによれば、２本の抗張力体７Ａ、７Ｂを互いに接近して設けているので、これら抗張力体７Ａ、７Ｂを把持金具１０の抗張力体挿入孔２０へ挿入し易くなる。
【００３３】
また、本実施形態の光ファイバケーブルによれば、スロットコア４の抗張力体７Ａ、７Ｂが設けられる部位の肉厚Ｔ１、Ｔ２、Ｔ３を、他の部位の肉厚よりも薄くしたので、抗張力体７Ａ、７Ｂをスロットコア４から引き出し易くなる。つまり、抗張力体７Ａ、７Ｂを取り出すのにスロットコア４を剥き易い。
【実施例】
【００３４】
実施例として、２本の抗張力体７Ａ、７Ｂの直径の差（線径差）を小さくしていった時のクロージャ９内での締付けネジ２１による把持力のばらつきと、導通性を比較した。その結果を表１に示す。
【表１】
2011118213.tif 000003
【００３５】
試料は、片方の抗張力体の直径を１．４ｍｍとした場合に、線径差−５０％としたものを試作品１、線径差−３２％としたものを試作品２、線径差−１５％としたものを試作品３、同径としたものを試作品４とした。把持力はｋｇｆで表し、導通性は抗張力体を把持金具に１０回把持した時に導通の取れた本数／試験本数で表した。
【００３６】
この結果、線径差が大きくなる試作品１ほど把持力にばらつきが生じると共に導通性も悪くなるが、同径の抗張力体とした試作品４では、把持力のばらつきも少なくしかも導通性も良い結果が得られた。
【００３７】
以上、本発明を適用した具体的な実施の形態について説明したが、本発明は、上述の実施形態に制限されることはない。例えば、前述ではクロージャ９内で光ファイバケーブル１の抗張力体７を把持金具１０で把持固定する例としたが、光ネットワーク構築に使用される光成端箱内で抗張力体７を把持金具１０で把持固定する場合に本発明を適用することもできる。
【産業上の利用可能性】
【００３８】
本発明は、２本以上の抗張力体をスロットコアに有した光ファイバケーブルに利用することができる。
【符号の説明】
【００３９】
１…光ファイバケーブル
２…光ファイバ
３…スロット溝
４…スロットコア
５…開口部（スロット溝の開口部）
６…シース
７（７Ａ、７Ｂ）…抗張力体
９…クロージャ
１０…把持金具
１１…ケーブル保持部
１２…抗張力体把持部
２０…抗張力体挿入孔
２１…締付けネジ
【図１】
2011118213.tif 000004
【図２】
2011118213.tif 000005
【図３】
2011118213.tif 000006
【図４】
2011118213.tif 000007
【図５】
2011118213.tif 000008